(57)【特許請求の範囲】
【請求項１】
側開型の吸込口と吐出口を背向状に開口させた直交軸型水中モータポンプが、その吸込口および吐出口の双方または何れか一方のフランジ面を下傾状のテーパー面に形成させてあり、貯留槽内に開口された流入口および排出口の双方または何れか一方のフランジ面が、前記下傾状のテーパー面に適応する上傾状のテーパー面に形成され、前記吸込口のフランジ上面部または下面部から係挿溝を導出させ、前記流入口のフランジ上面部または下面部からは該係挿溝に係入する凸子を導出させることで、ポンプ下降時において相互に係合しポンプ上昇時においてその係合の解除される横振れ防止手段が設けられており、前記直交軸型水中モータポンプを挟み込むよう、該ポンプ正面側の中心線上とその反対面側に位置するように、貯留槽内へ縦設された昇降ガイドに沿って直交軸型水中モータポンプを下降させることにより、該ポンプの吸込口および吐出口のフランジ面が前記流入口および排出口のフランジ面へクサビ作用で圧接すると共に前記横振れ防止手段が係合し、引き上げ時には直交軸型水中モータポンプが垂直姿勢を保持したままで昇降ガイドに沿って上昇し、該ポンプの吸込口および吐出口のフランジ面が前記流入口および排出口のフランジ面から離隔すると共に前記横振れ防止手段の係合が解除されるよう構成したことを特徴とする、直交軸型水中モータポンプを用いた着脱式ポンプ設備における吸込口および吐出口の接離機構。
【請求項２】
側開型の吸込口と吐出口を背向状に開口させた直交軸型水中モータポンプが、その吸込口および吐出口の双方または何れか一方のフランジ面を下傾状のテーパー面に形成させてあり、貯留槽内に開口された流入口および排出口の双方または何れか一方のフランジ面が、前記下傾状のテーパー面に適応する上傾状のテーパー面に形成され、前記排出口のフランジ上面部または下面部から係挿溝を導出させ、前記吐出口のフランジ上面部または下面部からは該係挿溝に係入する凸子を導出させることで、ポンプ下降時において相互に係合しポンプ上昇時においてその係合の解除される横振れ防止手段が設けられており、前記直交軸型水中モータポンプを挟み込むよう、該ポンプ正面側の中心線上とその反対面側に位置するように、貯留槽内へ縦設された昇降ガイドに沿って直交軸型水中モータポンプを下降させることにより、該ポンプの吸込口および吐出口のフランジ面が前記流入口および排出口のフランジ面へクサビ作用で圧接すると共に前記横振れ防止手段が係合し、引き上げ時には直交軸型水中モータポンプが垂直姿勢を保持したままで昇降ガイドに沿って上昇し、該ポンプの吸込口および吐出口のフランジ面が前記流入口および排出口のフランジ面から離隔すると共に前記横振れ防止手段の係合が解除されるよう構成したことを特徴とする、直交軸型水中モータポンプを用いた着脱式ポンプ設備における吸込口および吐出口の接離機構。
【発明の詳細な説明】
【０００１】
【発明の技術分野】
本発明は、直交軸型水中モータポンプを用いた着脱式ポンプ設備、例えばマンホールやゲートポンプ設備などにおける吸込口および吐出口の接離機構に関するものである。
【０００２】
【従来技術とその問題点】
従来の脱着式ポンプ設備においては図６および図７に示すよう、下面に吸込口１２０を有し側面に吐出口１３０を有する全周水路型同軸軸流ポンプ１６０Ａや渦巻きポンプ１６０Ｂを用い、貯留槽１００内に立設された昇降ガイド５００に沿って上記ポンプが下降したとき、吐出口１３０の上方部に付設された係止爪１５０が送出口３００のフランジ上縁部に係止して、吐出口１３０のフランジ面が送出口３００のフランジ面へ衝合し、ポンプは着脱べンド２００の後方へ片持状に連結された荷重バランスの悪い態様となる。
【０００３】
この種の着脱式ポンプ設備ではポンプの昇降作動を円滑に行わせるために、昇降ガイド５００と係合子７００との嵌合部におけるクリアランスを大きくすることが必要とされる。このクリアランスの存在することと、係止爪１５０の係止部を支点としてポンプが片持状に保持されていることとが相俟って、図６のような全周水路型同軸軸流ポンプ１６０Ａを用いた場合には、該ポンプの引き上げ時に係止爪１５０の係止部が支点となってポンプ下方部が矢示方向へ持ち上るように回動する。従ってその回動量に見合ったスペースがポンプ後方部に必要となり、マンホールや、ゲートポンプ設備のように貯留槽の前後壁間の間隔が制約されている場所には不適当である。また、図７のような渦巻きポンプ１６０Ｂの場合は、係止爪１５０の係止部からポンプ中心線までの距離が長く且つ該中心線の上方部にポンプ重心が存在するため、上記係止部を支点としたテコの作用が矢示方向に働き、フランジ衝合面の上方部に間隙ｇを生じて圧洩れを招来するという欠点がある。
【０００４】
従来の着脱式ポンプ設備の昇降ガイド５００と係合子７００との嵌合部における前述のクリアランスの存在はまた、ポンプ部分の横振れを惹起させる要因にもなり、ポンプ吐出口１３０の口心が送出口３００の口心から若干ずれることにより、ポンプ駆動時の吐出圧が送出口３００のフランジ面に作用して衝合面の間隔ｇを拡大させ、圧洩れを更に助長させる結果となる。
【０００５】
【発明の目的】
本発明の目的は、ポンプ装着時にはフランジ面が緊密に圧接すると共にポンプ部分の横振れを防止して圧洩れを生じることなく、且つ荷重バランスが良好で昇降作動が円滑に行われてその操作性に優れ、引き上げ時にはポンプが垂直姿勢を保持したままで上昇させられてポンプ後方部に余分なスペースを必要とせず、マンホールやゲートポンプ設備など、貯留槽の前後壁間の間隔が大きく取れない場所で有効に機能する、直交軸型水中モータポンプを用いた着脱式ポンプ設備における吸込口および吐出口の接離機構を提供することにある。
【０００６】
【発明の構成】
本発明に係る請求項１記載の直交軸型水中モータポンプを用いた着脱式ポンプ設備における吸込口および吐出口の接離機構では、側開型の吸込口と吐出口を背向状に開口させた直交軸型水中モータポンプが、その吸込口および吐出口の双方または何れか一方のフランジ面を下傾状のテーパー面に形成させてあり、貯留槽内に開口された流入口および排出口の双方または何れか一方のフランジ面が、前記下傾状のテーパー面に適応する上傾状のテーパー面に形成され、前記吸込口のフランジ上面部または下面部から係挿溝を導出させ、前記流入口のフランジ上面部または下面部からは該係挿溝に係入する凸子を導出させることで、ポンプ下降時において相互に係合しポンプ上昇時においてその係合の解除される横振れ防止手段が設けられており、前記直交軸型水中モータポンプを挟み込むよう、該ポンプ正面側の中心線上とその反対面側に位置するように、貯留槽内へ縦設された昇降ガイドに沿って直交軸型水中モータポンプを下降させることにより、該ポンプの吸込口および吐出口のフランジ面が前記流入口および排出口のフランジ面へクサビ作用で圧接すると共に前記横振れ防止手段が係合し、引き上げ時には直交軸型水中モータポンプが垂直姿勢を保持したままで昇降ガイドに沿って上昇し、該ポンプの吸込口および吐出口のフランジ面が前記流入口および排出口のフランジ面から離隔すると共に前記横振れ防止手段の係合が解除されるよう構成した。
【０００７】
また、請求項２記載の直交軸型水中モータポンプを用いた着脱式ポンプ設備における吸込口および吐出口の接離機構では、側開型の吸込口と吐出口を背向状に開口させた直交軸型水中モータポンプが、その吸込口および吐出口の双方または何れか一方のフランジ面を下傾状のテーパー面に形成させてあり、貯留槽内に開口された流入口および排出口の双方または何れか一方のフランジ面が、前記下傾状のテーパー面に適応する上傾状のテーパー面に形成され、ポンプ下降時において相互に係合しポンプ上昇時においてその係合の解除される横振れ防止手段が前記排出口のフランジ上面部または下面部から係挿溝を導出させ、前記吐出口のフランジ上面部または下面部からは該係挿溝に係入する凸子を導出させることで、ポンプ下降時において相互に係合しポンプ上昇時においてその係合の解除される横振れ防止手段が設けられており、前記直交軸型水中モータポンプを挟み込むよう、該ポンプ正面側の中心線上とその反対面側に位置するように、貯留槽内へ縦設された昇降ガイドに沿って直交軸型水中モータポンプを下降させることにより、該ポンプの吸込口および吐出口のフランジ面が前記流入口および排出口のフランジ面へクサビ作用で圧接すると共に前記横振れ防止手段が係合し、引き上げ時には直交軸型水中モータポンプが垂直姿勢を保持したままで昇降ガイドに沿って上昇し、該ポンプの吸込口および吐出口のフランジ面が前記流入口および排出口のフランジ面から離隔すると共に前記横振れ防止手段の係合が解除されるよう構成した。
【０００８】
【実施例】
以下実施例の図１ないし図５により説明をする。
【０００９】
１は流入水の貯留および排出に供せられる貯留槽、２は貯留槽１内へ導入された流入口、３は貯留槽１内から導出される排出口、４は排出口３に付設された逆止弁、５は直交軸型水中モータポンプ６を挟み込むよう、該ポンプ６正面側の中心線上とその反対面側に位置するように、貯留槽１内に縦設された昇降ガイドである。前記昇降ガイド５に係合子７を係合させて昇降する直交軸型水中モータポンプ６であって、堅型水中モータ８の下方にプロペラ９を収容したガイドリング１０が横設状に結合されてあり、モータ主軸の回転が歯車機構を介してプロペラ軸に伝達され、ガイドリング１０の両端開口面は側開型の吸込口１２および吐出口１３にそれぞれ形成されている。そして吸込口１２および吐出口１３の双方または何れか一方のフランジ面を下傾状のテーパー面１６ａに形成し、貯留槽１内に開口された流入口２および排出口３の双方または何れか一方のフランジ面が、前記下傾状のテーパー面１６ａに適応する上傾状のテーパー面１６ｂに形成されている。図１ないし図４の実施例では、吸込口１２のフランジ面を下傾状のテーパー面１６ａに形成し、流入口２のフランジ面を上記下傾状のテーパー面１６ａに適応する上傾状のテーパー面１６ｂに形成させてあり、吐出口１３と排出口３とは鉛直面で対向するよう形成されている。
【００１０】
そしてポンプ装着後における横振れ防止手段１１の一態様として図１および図２に示すよう、吸込口１２のフランジ上面部またはフランジ下面部から係挿溝１１ａを導出させ、流入口２のフランジ上面部またはフランジ下面部からは上記係挿溝１１ａに係入する凸子１１ｂを導出させる。また、横振れ防止手段１１の別の態様として図３および図４に示すよう、排出口３のフランジ上面部またはフランジ下面部から係挿溝１１ｃを導出させ、吐出口１３のフランジ上面部またはフランジ下面部からは上記係挿溝１１ｃに係入する凸子１１ｄを導出させる。なお、使用される直交軸型水中モータポンプとしては、実施例の図面に示された直交軸型水中モータ軸流ポンプの他に直交軸型水中モータ斜流ポンプとすることもできる。
【００１１】
【作用】
昇降ガイド５に沿った直交軸型水中モータポンプ６の下降限において、該ポンプの吸込口１２および吐出口１３のフランジ面が、貯留槽１内の流入口２および排出口３のフランジ面へ、ポンプの自重とテーパー面１６ａ，１６ｂによるクサビ作用で緊密に圧接し、衝合面の封水性を高めるよう作用する。同時に、フランジ面の凸子１１ｂ，１１ｄ等が、それと対向するフランジ上下面の係挿溝１１ａ，１１ｃ等へ係入して、ポンプ装着後における横振れ防止の作用をする。
【００１２】
また、二点支承により荷重バランスが良好に保たれ、引き上げ時には、直交軸型水中モータポンプ６は垂直姿勢を保持したままで、昇降ガイド５に沿って貯留槽１内を上昇し、吸込口１２および吐出口１３のフランジ面が、流入口２および排出口３のフランジ面から離隔する。同時にフランジ上下面の凸子１１ｂ，１１ｄが係挿溝１１ａ，１１ｃから離脱する。
【００１３】
【発明の効果】
本発明によれば、ポンプ装着時にはポンプ自重がテーパー面に加わるので、クサビ作用を生じて衝合面が緊密に圧接し、且つ横振れ防止機構の併設により圧洩れを生じることなく、また、従来のような片持状連結ではなく、二点支承により荷重バランスが良好に保たれて、引き上げ時にはポンプが垂直姿勢を保持したままで上昇するため、ポンプ後方部に余分なスペースを必要とせず、昇降ガイド５と係合子７との嵌合部におけるクリアランスを大きくしてポンプの昇降操作を円滑にし、マンホールやゲートポンプ設備など、貯留槽の前後壁間の間隔を大きく取れない場所で有効に機能するという利点がある。
【図面の簡単な説明】
【図１】  本発明接離機構を有する着脱式ポンプ設備におけるポンプ引き上げ時の要部縦断側面図であって、横振れ防止手段を吸込口側に付設した事例を示す。
【図２】  図１の設備におけるポンプ装着時の状態を示す要部縦断側面図である。
【図３】  本発明接離機構を有する着脱式ポンプ設備におけるポンプ引き上げ時の腰部縦断側面図であって、横振れ防止手段を吐出口側に付設した事例を示す。
【図４】  図３の設備におけるポンプ装着時の状態を示す要部縦断側面図である。
【図５】  図２における横振れ防止手段部分の平面図である。
【図６】  従来の係止爪による接離機構を備えたポンプ設備の要部側面図であって、全周水路型同軸軸流が用いられている事例を示す。
【図７】  従来の係止爪による接離機構を備えたポンプ設備の要部側面図であって、渦巻きポンプが用いられている事例を示す。
【符号の説明】
１      貯留槽
２      流入口
３      排出口
５      昇降ガイド
６      直交軸型水中モータポンプ
１１    横振れ防止手段
１１ａ  係挿溝
１１ｂ  凸子
１１ｃ  係挿溝
１１ｄ  凸子
１２    吸込口
１３    吐出口
１６ａ  下傾状のテーパー面
１６ｂ  上傾状のテーパー面
【図１】
0004836156.tif 000002
【図２】
0004836156.tif 000003
【図３】
0004836156.tif 000004
【図４】
0004836156.tif 000005
【図５】
0004836156.tif 000006
【図６】
0004836156.tif 000007
【図７】
0004836156.tif 000008